(57)【特許請求の範囲】
【請求項１】
建物に設けられた開口の内周部に備えられて互いに対向する一対の既設縦枠の間から室外側に張り出して設けられる新設縦枠と、
前記新設縦枠と前記建物の外壁との間を正面から覆う正面カバー材、および、前記新設縦枠における前記外壁から突出した部位の側面を覆う側面カバー材を有し前記新設縦枠に固定される縦額縁と、
を備え、
前記正面カバー材と前記側面カバー材とは、
各々の長手方向に沿って厚みが薄く形成された複数の線状薄肉部が前記長手方向と交差する方向に互いに間隔を隔てて設けられており、
前記新設縦枠が突出している先端側にて分離可能に接合され、
前記正面カバー材は、前記新設縦枠側に当該新設縦枠に固定される正面固定部と、前記新設縦枠と反対側に前記外壁側に延出された正面延出部と、を有し、
前記側面カバー材は、前記正面固定部と共に前記新設縦枠に固定される側面固定部と、前記正面延出部と係合される側面係合部と、を有し、
前記正面カバー材と前記側面カバー材とは、前記正面延出部と前記側面係合部とが係合されて前記正面固定部と前記側面固定部とが接合ビスにより接合されていることを特徴とする改装用建具。
【請求項２】
請求項１に記載の改装用建具であって、
前記新設縦枠は、室外側端部の、前記開口における内周側に室内側に窪む縦枠凹部を有し、
前記正面カバー材は、前記縦枠凹部に係合される凹部係合部を有し、前記正面固定部は前記新設縦枠の外周側に室内側に向かって延出されて形成され、前記正面延出部には内周側に窪み前記側面係合部と係合する被係合部が形成されており、
前記側面カバー材は、前記側面係合部が内周側に突出させて設けられ、前記側面固定部は、前記正面固定部に外周側から重なるように設けられており、
前記新設縦枠の内周側から外周側に進入する固定ビスが前記正面固定部と前記側面固定部とに螺合されて固定されることを特徴とする改装用建具。
【請求項３】
請求項１または請求項２に記載の改装用建具であって、
前記側面カバー材は、前記新設縦枠側に延出された側面延出部を有し、
前記側面延出部が前記新設縦枠に係合されて外周方向への移動が規制されることを特徴とする改装用建具。
【請求項４】
請求項２に記載の改装用建具であって、
前記正面固定部の前記固定ビスが螺合される螺合部の、当該固定ビスの進入方向における手前には、前記螺合部に向かって漸次狭くなるように形成された案内部が設けられていることを特徴とする改装用建具。
【発明の詳細な説明】
【技術分野】
【０００１】
本発明は、既設枠の室外側に設ける改装用建具に関する。
【背景技術】
【０００２】
従来、既設玄関引戸の既設枠に新しい玄関引き戸の枠を取り付けて玄関引戸をリフォームする建具枠は知られている（例えば、特許文献１参照）。この建具枠は、新設下枠と、左竪枠と、右竪枠と、上枠とを備えており、新設下枠は、既設下枠上、すなわち、既設枠の内周側に固定されている。また、左竪枠、右竪枠および上枠も既設竪枠、既設上枠及び躯体に既設枠の内周側から固定されている。
【先行技術文献】
【特許文献】
【０００３】
【特許文献１】特開２０１３−１３９７００号公報
【発明の概要】
【発明が解決しようとする課題】
【０００４】
上記のようなリフォーム用の建具のなかには、新たに取り付けた建具と外壁との間を塞ぐ額縁が設けられているものがある。リフォーム用の建具が取り付けられる建物は、様々な形状をなしているので、額縁により新たに取り付けた建具と外壁との間を額縁により塞いで綺麗に仕上げるためには、個々の建物の形状に対応させて額縁をそれぞれ形成したり加工を施したりになければならず、多大な工数とコストが必要である。
本発明は、かかる課題に鑑みてなされたものであり、その目的とするところは、汎用性が高い額縁を備えた改装用建具を提供することにある。
【課題を解決するための手段】
【０００５】
かかる目的を達成するために本発明の改装用建具は、建物に設けられた開口の内周部に備えられて互いに対向する一対の既設縦枠の間から室外側に張り出して設けられる新設縦枠と、前記新設縦枠と前記建物の外壁との間を正面から覆う正面カバー材、および、前記新設縦枠における前記外壁から突出した部位の側面を覆う側面カバー材を有し前記新設縦枠に固定される縦額縁と、を備え、前記正面カバー材と前記側面カバー材とは、各々の長手方向に沿って厚みが薄く形成された複数の線状薄肉部が前記長手方向と交差する方向に互いに間隔を隔てて設けられており、前記新設縦枠が突出している先端側にて分離可能に接合され、前記正面カバー材は、前記新設縦枠側に当該新設縦枠に固定される正面固定部と、前記新設縦枠と反対側に前記外壁側に延出された正面延出部と、を有し、前記側面カバー材は、前記正面固定部と共に前記新設縦枠に固定される側面固定部と、前記正面延出部と係合される側面係合部と、を有し、前記正面カバー材と前記側面カバー材とは、前記正面延出部と前記側面係合部とが係合されて前記正面固定部と前記側面固定部とが接合ビスにより接合されていることを特徴とする改装用建具である。
【０００６】
このような改装用建具によれば、縦額縁が備える正面カバー材と側面カバー材とは、分離可能に接合されるので、正面カバー材のみの状態、または、正面カバー材と側面カバー材とを接合した状態のいずれの状態でも使用することが可能である。このため、建物の外壁との間を正面からのみ覆う必要がある場合には、正面カバー材のみを用い、建物の外壁との間を正面と外壁から突出した部位の側面と覆う必要がある場合には、正面カバー材と側面カバー材とを接合した状態で使用することにより、施工現場に応じて使い分けることが可能である。
【０００７】
また、正面カバー材と側面カバー材とには、各々の長手方向に沿って厚みが薄く形成された複数の線状薄肉部が長手方向と交差する方向に互いに間隔を隔てて設けられているので、線状薄肉部にて容易に切断することが可能である。このため、正面カバー材または側面カバー材を、施工現場に合わせていずれかの線状薄肉部にて切断することにより、現場に合った適切なサイズに切断して新設縦枠と建物の外壁との間を容易に覆うことが可能である。このため、汎用性が高い額縁を備えた改装用建具を提供することが可能である。
【０００８】
また、正面カバー材と側面カバー材との接合部を新設縦枠が突出している先端側としたので、正面カバー材と側面カバー材とをいずれも平坦に近い形状とすることが可能である。このため、正面カバー材または側面カバー材を線状薄肉部にて切断する場合には、線状薄肉部により近づきやすいので加工性にも優れている。
【００１０】
また、正面カバー材と側面カバー材とは、正面延出部と側面係合部とが係合されて正面固定部と側面固定部とが接合ビスにより接合されているだけなので、ビスを外すことにより容易に正面カバー材と側面カバー材とを分離することが可能である。
【００１１】
かかる改装用建具であって、前記新設縦枠は、室外側端部の、前記開口における内周側に室内側に窪む縦枠凹部を有し、前記正面カバー材は、前記縦枠凹部に係合される凹部係合部を有し、前記正面固定部は前記新設縦枠の外周側に室内側に向かって延出されて形成され、前記正面延出部には内周側に窪み前記側面係合部と係合する被係合部が形成されており、前記側面カバー材は、前記側面係合部が内周側に突出させて設けられ、前記側面固定部は、前記正面固定部に外周側から重なるように設けられており、前記新設縦枠の内周側から外周側に進入する固定ビスが前記正面固定部と前記側面固定部とに螺合されて固定されることが望ましい。
【００１２】
このような改装用建具によれば、側面カバー材は、正面延出部に形成された内周側に窪む被係合部に係合する側面係合部が内周側に突出させて設けられており、側面固定部は、新設縦枠の外周側に室内側に向かって延出されて形成された正面固定部に外周側から重なるように設けられているので、側面カバー材を正面カバー材に外周側から近づけて側面係合部と被係合部を係合することにより側面固定部と正面固定部とを重ねて配置することが可能である。また、正面カバー材は、凹部係合部と正面固定部とにより新設縦枠を挟むように配置されて位置決めされるので、側面固定部と正面固定部とが重なる状態で接合された正面カバー材と側面カバー材とを新設縦枠に対して適切な位置に配置することが可能である。そして、内周側から外周側に進入する固定ビスを正面固定部と側面固定部とに螺合することにより、正面カバー材と側面カバー材とを新設縦枠に対して適切な位置に容易に固定することが可能である。
【００１３】
かかる改装用建具であって、前記側面カバー材は、前記新設縦枠側に延出された側面延出部を有し、前記側面延出部が前記新設縦枠に係合されて外周方向への移動が規制されることが望ましい。
【００１４】
正面固定部と側面固定部とに内周側から外周側に進入する固定ビスを螺合させる際には、側面カバー材が新設縦枠から離れる方向に押圧されるが、上記改装用建具のように、側面カバー材は、新設縦枠側に延出された側面延出部が新設縦枠に係合されて外周方向への移動が規制されていると、固定ビスに押圧されても側面カバー材が新設縦枠から離れる方向に移動しにくいので、側面カバー材を外周側から押さえることなくビス止めすることが可能である。
【００１５】
かかる改装用建具であって、前記正面固定部の前記固定ビスが螺合される螺合部の、当該固定ビスの進入方向における手前には、前記螺合部に向かって漸次狭くなるように形成された案内部が設けられていることが望ましい。
【００１６】
このような改装用建具によれば、内周側から進入する固定ビスが正面固定部の螺合部に螺合される前に、その手前に設けられた案内部に係合する。係合した案内部は手前側から奥側に向かって漸次狭くなるように形成されているので、固定ビスを進入させることにより、新設縦枠と正面カバー材および正面カバー材と係合している側面カバー材とを適切な位置に配置して固定することが可能である。
【発明の効果】
【００１７】
本発明によれば、汎用性が高い額縁を備えた改装用建具を提供することが可能である。
【図面の簡単な説明】
【００１８】
【図１】本実施形態に係る改装用建具の外観図である。
【図２】本実施形態に係る改装用建具の横断面図である。
【図３】図２におけるＡ−Ａ断面図である。
【図４】図２におけるＢＣＤＥ断面図である。
【図５】本実施形態に係る改装用建具の構成を示す斜視図である。
【図６】縦額縁が新設縦枠に固定されている状態を示す横断面図である。
【図７】縦額縁を取り付ける前までの施工方法を示す図である。
【図８】縦額縁および上額縁の施工方法を示す図である。
【図９】平坦な外壁に設けられた新設枠への縦額縁の取り付け方法を示す図である。
【図１０】入隅部近傍に設けられた新設枠への縦額縁の取り付け方法を示す図である。
【発明を実施するための形態】
【００１９】
以下、本発明の一実施形態に係る改装用建具について図面を参照して説明する。
本実施形態の改装用建具１は、例えば、玄関用建具の既設枠２のみを残した開口２ｅに、図１〜図５に示すように建物３の外壁３ａより室外側に張り出して設けられた新設枠１０と、新設枠１０に装着される２枚の引戸障子４とを有し、引戸障子４が既設枠２に囲まれる領域の室外側の位置から外壁３ａと対向する位置まで移動可能な引込みタイプの改装用建具１である。
【００２０】
以下の説明においては、建物３等に取り付けられた状態の改装用建具１を室外側から見たときに、上下となる方向を上下方向、左右となり下枠が有するレールに沿う方向を左右方向、室内外方向である奥行き方向を見込み方向として示す。改装用建具１の各部位であっても、また、改装用建具１を構成する各部材については単体の状態であっても、建物３等に取り付けられた状態にて上下方向、左右方向、見込み方向となる方向にて方向を特定して説明する。
【００２１】
改装用建具１は、２枚の引戸障子４と、建物３等に外壁３ａより張り出して設けられる新設枠１０と、を備えている。
新設枠１０は、左右に設けられている既設縦枠２ａの内側に固定金具９を介して固定される新設方立１１及び新設縦枠１２と、既設下枠２ｂに上方から固定される新設下枠１３と、既設上枠２ｃの下方から固定金具９を介して固定される新設上枠１４と、新設方立１１と外壁３ａとの間を覆う方立額縁１５と、新設縦枠１２の室外に臨む面および新設縦枠１２と外壁３ａとの間を覆う縦額縁１６と、新設上枠１４の室外に臨む面および新設上枠１４と外壁３ａとの間を覆う上額縁１７と、新設上枠１４の室外側の部位をなす新設外上枠１４２を固定するためのブラケット１８と、を有している。以下の説明においては、既設枠２に囲まれる内側および矩形状に接合された新設方立１１、新設縦枠１２、新設下枠１３、新設上枠１４に囲まれる領域の内側を、単に内側または内周側とし、反対側を単に外側または外周側として説明する。
【００２２】
新設方立１１、新設縦枠１２および新設上枠１４を固定する固定金具９は、いずれも共通の部材であり、新設方立１１、新設縦枠１２および新設上枠１４が有する外周側の面と対面させてビス止めされる新設枠側固定部９ａと、既設縦枠２ａおよび既設上枠２ｃが有する内周側の面との間に介在される飼い木６と対面させてビス止めされる既設枠側固定部９ｂと、新設枠側固定部９ａの室内側の端と既設枠側固定部９ｂの室外側の端とを、新設枠側固定部９ａおよび既設枠側固定部９ｂとほぼ直交するように連結する連結部９ｃとを有し、例えば、鋼板を段曲げした形状をなしている。
【００２３】
本改装用建具１では、２枚の引戸障子４が新設方立１１より左側まで移動可能に形成されて、引戸障子４の一部が外壁３ａと対向する位置まで引き込まれるように構成されており、新設縦枠１２は引戸障子４を閉じた際に戸先部４ａと係合する戸当たりをなしている。このため、新設方立１１は、新設縦枠１２より既設縦枠２ａから室外側に突出する突出量が小さく、新設方立１１の室外側を２枚の引戸障子４が、新設下枠１３および新設上枠１４のレール１３３、１４２ｊに案内されて左右方向に移動するように構成されている。そして、新設縦枠１２にはラッチ機構や施錠機構などの機能部材が設けられており、新設方立１１の室外側の端部には、引戸障子４を閉じた際に、室内側を移動する引戸障子４の戸尻部４ｂと係合する煙返し１１ａと、戸尻部４ｂと接触するシール部材１１ｂとが設けられている。
【００２４】
新設方立１１及び新設縦枠１２はいずれも、既設縦枠２ａよりも室外側に突出して設けられており、室内側の端部に設けられた角部に、新設枠側固定部９ａと連結部９ｃがなす角部が内周側から重ねられて固定金具９がビス止めされている。固定金具９がビス止めされた新設方立１１及び新設縦枠１２は、連結部９ｃの室内側の面が、既設扉の周端部に当接すべく既設縦枠２ａに設けられていたシール材が取り外された嵌合部２ｄの室外側の部位に当接されて位置決めされている。
【００２５】
また、既設縦枠２ａの内周側の面と、新設方立１１及び新設縦枠１２に各々設けられた固定金具９の新設枠側固定部９ａおよび既設枠側固定部９ｂの外周側の面との間に、固定金具９と既設縦枠２ａの嵌合部２ｄとが干渉しないように飼い木６が設けられている。新設方立１１及び新設縦枠１２にビス止めされた固定金具９は、既設枠側固定部９ｂが飼い木６、既設縦枠２ａ、既設額縁７を介して躯体５にビス止めされている。
【００２６】
方立額縁１５は、既設縦枠２ａに固定された新設方立１１と外壁３ａとの間を覆う部材であり、新設方立１１の全長に亘って設けられる。
新設縦枠１２は、図６に示すように、断面が見込み方向に長い長方形状をなし新設縦枠１２の長手方向に沿って貫通する中空部を形成する縦枠本体部１２ｃと、縦枠本体部１２ｃの室外側に設けられ縦枠本体部１２ｃより左右方向の幅が狭い中空部を形成し引戸障子４の戸当たりをなす戸当部１２ｄと、を有している。縦枠本体部１２ｃの外周側の側面１２ｅと戸当部１２ｄの外周側の側面１２ｆとは繋がった同一平面の側面をなしている。
【００２７】
縦枠本体部１２ｃは、中空部内の見込み方向におけるほぼ中央に補強リブ１２ｇが設けられており、縦枠本体部１２ｃの外周側の側面１２ｅにおける補強リブ１２ｇより僅かに室内側の部位から外周側に突出させて縦額縁１６と係合する縦枠係合片１２ａが設けられている。縦枠係合片１２ａは、縦枠本体部１２ｃの外周側の側面１２ｅと間隔を隔てて側面１２ｅと平行な板状の部位が、室内側にて側面１２ｅと繋がっており、室外側が開放された溝状をなしている。
【００２８】
戸当部１２ｄは、室外側の端部側から内周側に向かって突出し、引戸障子４を閉じたときに戸先部４ａが当接されるシール材２５のシール嵌合部１２ｈが設けられている。シール嵌合部１２ｈは、縦枠本体部１２ｃの内周側の壁部１２ｉと同じ位置まで突出している。引戸障子４を閉じたときには、戸先部４ａが新設縦枠１２の室外側の壁部１２ｊと、戸当部１２ｄの内周側の壁部１２ｋと、シール嵌合部１２ｈとにより形成されて外周側に窪み上下方向に沿った溝状部１２ｌに挿入されてシール材２５に当接されるように構成されている。
【００２９】
シール嵌合部１２ｈの室外側の面は、戸当部１２ｄの先端より室内側に位置しており、新設縦枠１２の室外側、より具体的には戸当部１２ｄの先端の内周側であってシール嵌合部１２ｈの室外側に、戸当部１２ｄの先端より室内側に窪む縦枠凹部１２ｂが設けられている。
【００３０】
縦額縁１６は、新設縦枠１２と建物３の外壁３ａとの間を正面から覆う正面カバー材１６１と、新設縦枠１２における外壁３ａから突出した部位の側面１２ｅ、１２ｆを覆う側面カバー材１６２とを有している。
【００３１】
正面カバー材１６１は、新設縦枠１２と外壁３ａとの室外側にて新設縦枠１２と外壁３ａとに亘って設けられ外壁３ａと平行に配置される正面壁部１６１ｂと、正面壁部１６１ｂから室内側に延出され新設縦枠１２の外周側に当接され側面カバー材１６２とともに新設縦枠１２にビス止めされる正面固定部１６１ａと、正面壁部１６１ｂにおける新設縦枠１２と反対側に外壁３ａ側に向かって延出された正面延出部１６１ｅと、正面カバー材１６１の内周側に設けられ新設縦枠１２と係合する内周係合部１６１ｄと、を有している。
【００３２】
正面固定部１６１ａは、正面壁部１６１ｂから室内側に延出されて戸当部１２ｄの外周側の側面１２ｆに当接される縦枠側面当接部１６１ｆと、縦枠側面当接部１６１ｆの室内側に設けられ外周側に窪み側面カバー材１６２と接合される接合ビス２０の頭部が収容されるビス収容部１６１ｇと、ビス収容部１６１ｇの室内側に設けられ側面カバー材１６２とともに新設縦枠１２に固定ビス２１が螺合される螺合部１６１ｈと、縦枠側面当接部１６１ｆから内周側に突出し縦枠側面当接部１６１ｆに当接された新設縦枠１２の室外側の壁部１２ｍが当接される縦枠正面当接片１６１ｋと、を有している。
【００３３】
ビス収容部１６１ｇと螺合部１６１ｈとの外周側の面は繋がって平坦に形成されている。螺合部１６１ｈは、正面カバー材１６１の長手方向、すなわち上下方向に沿う溝状をなしており、螺合部１６１ｈの固定ビス２１の進入方向における手前、すなわち、内周側には、螺合部１６１ｈに向かって漸次狭くなるように形成された案内部１６１ｉが設けられている。
【００３４】
正面壁部１６１ｂの正面固定部１６１ａと正面延出部１６１ｅとの間には、新設縦枠１２が建物３の入隅部をなす外壁３ｂ（図１０）の近傍に設けられた際に、新設縦枠１２と入隅部を形成する外壁３ｂまでの間を覆うべく、現場に合わせて容易にサイズを変更できるように、厚みが薄く形成され長手方向に沿った線状薄肉部１６１ｊが複数設けられている。
【００３５】
内周係合部１６１ｄは、正面壁部１６１ｂの新設縦枠１２側と繋がって、見込み方向において縦枠正面当接片１６１ｋと同じ位置にて新設縦枠１２の室外側の壁部１２ｍに当接する縦枠室外当接部１６１ｏと、縦枠室外当接部１６１ｏの壁部１２ｍより内周側に張り出した部位に室内側に突出させて設けられ新設縦枠１２の縦枠凹部１２ｂと係合する凹部係合部１６１ｑと、を有している。
【００３６】
正面延出部１６１ｅは、正面壁部１６１ｂの外周側の端部から外壁３ａに向かって僅かに延出された延出壁部１６１ｌと、延出壁部１６１ｌの先端から内周側に突出した延出壁突出部１６１ｍと、延出壁突出部１６１ｍの先端に設けられ、外周側に向かって延出壁突出部１６１ｍとの間隔が広がるように形成された傾斜片１６１ｎとを有している。すなわち、延出壁突出部１６１ｍと傾斜片１６１ｎとは、延出壁部１６１ｌから内周側に窪む被係合部１６１ｒを形成し、正面カバー材１６１と側面カバー材１６２とを接合するときに、側面カバー材１６２に設けられ、後述する側面係合部１６２ｂが傾斜片１６１ｎに案内されつつ係合する。
【００３７】
側面カバー材１６２は、新設縦枠１２の外周側の側面１２ｅ、１２ｆとほぼ平行に配置されて右側面を覆う側面壁部１６２ａと、側面壁部１６２ａの室外側の先端に設けられ正面カバー材１６１の被係合部１６１ｒと係合する側面係合部１６２ｂと、側面壁部１６２ａの室外側の先端側であって側面係合部１６２ｂより室内側に設けられ新設縦枠１２側に延出された室外延出部１６２ｃと、側面壁部１６２ａにおいて新設縦枠１２の見込み方向におけるほぼ中央に新設縦枠１２側に延出された中央延出部１６２ｄと、を有している。
【００３８】
室外延出部１６２ｃの先端には、正面カバー材１６１に設けられた正面固定部１６１ａの外周側からビス収容部１６１ｇと螺合部１６１ｈの外周側の面、ビス収容部１６１ｇの室外側の面および螺合部１６１ｈの室内側の面に重ねられて単一の固定ビス２１にて正面カバー材１６１とともに新設縦枠１２にビス止めされる側面固定部１６２ｅが設けられている。また、中央延出部１６２ｄの先端には、新設縦枠１２の外周側において見込み方向における中央近傍に設けられ、外周側に突出されてその先端が室外側に延出された縦枠係合片１２ａと係合する中央係合片１６２ｆが設けられている。
【００３９】
縦額縁１６の室内側の部位にも、方立額縁１５と同様に、側面壁部１６２ａに見込み方向の長さを変更可能に厚みが薄く形成され長手方向に沿った線状薄肉部１６２ｊが複数設けられており、いずれかの線状薄肉部１６２ｊにて切断されることにより現場に合わせて容易にサイズを変更できるように構成されている。
【００４０】
縦額縁１６の新設縦枠１２への取り付けは、図７（ａ）、図７（ｂ）に示すように、新設内下枠１３１と新設外下枠１３２とを接合した新設下枠１３と、新設方立１１及び新設縦枠１２と、新設内上枠１４１とを接合した新設枠ユニット１ａを、固定金具９により既設縦枠２ａ、既設上枠２ｃ、飼い木６、既設額縁７を介して躯体５に固定し、新設下枠１３を既設下枠２ｂおよび下地８に上方から固定し、図７（ｃ）、図７（ｄ）に示すように、方立額縁１５を取り付けた後に、ブラケット１８を新設内上枠１４１に固定し、固定されたブラケット１８を介して新設外上枠１４２を取り付けた後に行われる。
【００４１】
まず、改装用建具１の新設枠１０が平坦な外壁３ａから突出した状態で取り付けられる場合について説明する。この場合には、図８（ａ）に示すように、縦額縁１６は、正面カバー材１６１と側面カバー材１６２とを接合した状態で使用する。
【００４２】
側面カバー材１６２は、正面カバー材１６１と共に新設縦枠１２に取り付けられたときに、外壁３ａと干渉しないように、施工現場に合わせて側面壁部１６２ａに設けられたいずれかの線状薄肉部１６２ｊにて予め切断しておく。
【００４３】
次に、図９に示すように、正面カバー材１６１の外周側から側面カバー材１６２を近づけて正面カバー材１６１と側面カバー材１６２とを接合する状態に配置する。このとき、側面カバー材１６２の側面係合部１６２ｂが、正面カバー材１６１の延出壁突出部１６１ｍと傾斜片１６１ｎとにより形成された被係合部１６１ｒに係合し、側面カバー材１６２の側面固定部１６２ｅが正面カバー材１６１の正面固定部１６１ａに重なるように配置する。
【００４４】
接合する状態に配置された正面カバー材１６１と側面カバー材１６２とは内周側から正面固定部１６１ａのビス収容部１６１ｇに接合ビス２０を進入させ、重ねられている側面カバー材１６２の側面固定部１６２ｅと共に螺合して接合する。接合される正面カバー材１６１が有する延出壁部１６１ｌは、側面カバー材１６２の側面壁部１６２ａより見込み方向の幅が狭く形成されているので、正面カバー材１６１と側面カバー材１６２とは、新設縦枠１２が突出している先端側にて接合される。また、正面カバー材１６１と側面カバー材１６２とを接合する接合ビス２０の頭部はビス収容部１６１ｇ内に収容されて内周側には突出しない。
【００４５】
次に、正面カバー材１６１と側面カバー材１６２とが接合された縦額縁１６を、新設縦枠１２に装着する。縦額縁１６を新設縦枠１２に装着する際には、まず、内周係合部１６１ｄが新設縦枠１２の室外側に位置する状態で、中央延出部１６２ｄ先端に設けられた中央係合片１６２ｆを新設縦枠１２の外周側の側面１２ｅにおける縦枠係合片１２ａより室外側の部位に当接させた後に室内側に移動させる。
【００４６】
室内側に移動された縦額縁１６は、中央係合片１６２ｆが縦枠係合片１２ａに係合されるとともに縦枠正面当接片１６１ｋと縦枠室外当接部１６１ｏとが新設縦枠１２の室外側の壁部１２ｍに当接され、凹部係合部１６１ｑが縦枠凹部１２ｂと係合するように配置される。この状態で、内周側から固定ビス２１を新設縦枠１２の戸当部１２ｄを貫通させて螺合部１６１ｈに進入させる。このとき、固定ビス２１の進入方向において螺合部１６１ｈの手前に位置する案内部１６１ｉ（図６）により固定ビス２１の中央に縦額縁１６が案内されて位置決めされる。
新設縦枠１２に取り付けられた縦額縁１６の側面壁部１６２ａと外壁３ａとの間をシール剤１９によりシールする。
【００４７】
次に、改装用建具１の新設枠１０が建物３の入隅部をなす外壁３ｂの近傍に取り付けられる場合について説明する。この場合には、縦額縁１６は、正面カバー材１６１のみを使用し、側面カバー材１６２は使用しない。
【００４８】
正面カバー材１６１は、図１０に示すように、新設縦枠１２に取り付けられたときに、入隅部をなす外壁３ｂと干渉しないように、施工現場に合わせて正面壁部１６１ｂに設けられたいずれかの線状薄肉部１６１ｊにて予め切断しておく。
【００４９】
次に、正面壁部１６１ｂの幅が調節された正面カバー材１６１を、新設縦枠１２に装着する。縦額縁１６を新設縦枠１２に装着する際には、内周係合部１６１ｄが新設縦枠１２の室外側に位置する状態から室内側に移動させ、縦枠正面当接片１６１ｋと縦枠室外当接部１６１ｏとが新設縦枠１２の室外側の壁部１２ｍに当接し、凹部係合部１６１ｑが縦枠凹部１２ｂと係合するように配置する。この状態で、内周側から固定ビス２１を新設縦枠１２の戸当部１２ｄを貫通させて螺合部１６１ｈに進入させる。このとき、固定ビス２１の進入方向において螺合部１６１ｈの手前に位置する案内部１６１ｉにより固定ビス２１の中央に正面カバー材１６１が案内されて位置決めされる。
新設縦枠１２に取り付けられ正面カバー材１６１の正面壁部１６１ｂと外壁３ｂとの間をシール剤１９によりシールする。
【００５０】
最後に、図８（ｂ）、図８（ｃ）に示すように、縦額縁１６が取り付けられた状態で、新設上枠１４の外壁３ａより室外側に突出した部位を覆う上額縁本体１７１に、上額縁本体１７１の小口に取り付けられる端部プレート１７２と上額縁本体１７１と外壁３ａとの間を塞ぐ上閉塞プレート１７３が取り付けられた上額縁１７を取り付けることにより改装用建具１の取り付けが完了する。
【００５１】
本実施形態の改装用建具１によれば、縦額縁１６が備える正面カバー材１６１と側面カバー材１６２とは、分離可能に接合されるので、正面カバー材１６１のみの状態、または、正面カバー材１６１と側面カバー材１６２とを接合した状態のいずれの状態でも使用することが可能である。このため、新設縦枠１２の側方に、例えば入隅部の外壁３ｂのような他の部材が存在しない場合には、正面カバー材１６１と側面カバー材１６２とを接合した状態で使用することにより、新設縦枠１２と建物３の外壁３ａとの間を正面から覆うとともに新設縦枠１２における外壁から突出した部位の側面１２ｅ、１２ｆをも覆うことが可能である。また、新設縦枠１２の側方に他の部材が存在して側方から覆う必要がない場合には、側面カバー材１６２を使用することなく正面カバー材１６１のみの状態で使用することにより、新設縦枠１２と建物３の外壁３ｂとの間を正面から覆うことが可能である。
【００５２】
また、正面カバー材１６１と側面カバー材１６２とには、各々の長手方向に沿って厚みが薄く形成された複数の線状薄肉部１６２ｊ、１６１ｊが長手方向と交差する方向に互いに間隔を隔てて設けられているので、線状薄肉部１６２ｊ、１６１ｊにて容易に切断することが可能である。このため、正面カバー材１６１または側面カバー材１６２を、施工現場に合わせていずれかの線状薄肉部１６２ｊ、１６１ｊにて切断することにより、現場に合った適切なサイズに切断して新設縦枠１２と建物３の外壁３ａ、３ｂとの間を容易に覆うことが可能である。このため、汎用性が高い縦額縁１６を備えた改装用建具１を提供することが可能である。
【００５３】
また、正面カバー材１６１と側面カバー材１６２とが接合されている位置は、新設縦枠１２が突出している先端側なので、正面カバー材１６１が単体の場合には、正面壁部１６１ｂからの突出する部位を小さく抑えることが可能である。このため、線状薄肉部１６１ｊにて切断する加工などをより容易に行うことが可能である。
【００５４】
また、正面カバー材１６１と側面カバー材１６２とは、正面延出部１６１ｅの被係合部１６１ｒと側面係合部１６２ｂとが係合されて正面固定部１６１ａと側面固定部１６２ｅとが接合ビス２０により接合されているだけなので、接合ビス２０を外すことにより容易に正面カバー材１６１と側面カバー材１６２とを分離することが可能である。
【００５５】
また、側面カバー材１６２は、正面延出部１６１ｅの延出壁突出部１６１ｍと傾斜片１６１ｎとにより形成され内周側に窪む被係合部１６１ｒに係合する側面係合部１６２ｂが内周側に突出させて設けられており、側面固定部１６２ｅは、新設縦枠１２の外周側に室内側に向かって延出されて形成された正面固定部１６１ａに外周側から重なるように設けられているので、側面カバー材１６２を正面カバー材１６１に外周側から近づけて側面係合部１６２ｂと被係合部１６１ｒを係合することにより側面固定部１６２ｅと正面固定部１６１ａとを重ねて配置することが可能である。
【００５６】
また、正面カバー材１６１は、凹部係合部１６１ｑと正面固定部１６１ａとにより新設縦枠１２を挟むように配置されて位置決めされるので、側面固定部１６２ｅと正面固定部１６１ａとが重なる状態で接合された正面カバー材１６１と側面カバー材１６２とを新設縦枠１２に対して適切な位置に配置することが可能である。そして、内周側から外周側に進入する固定ビス２１を正面固定部１６１ａと側面固定部１６２ｅとに螺合することにより、正面カバー材１６１と側面カバー材１６２とを新設縦枠１２に対して適切な位置に容易に固定することが可能である。
【００５７】
正面固定部１６１ａと側面固定部１６２ｅとに内周側から外周側に進入する固定ビス２１を螺合させる際には、縦額縁１６が新設縦枠１２から離れる方向に押圧されるが、上記改装用建具１のように、正面カバー材１６１の凹部係合部１６１ｑが新設縦枠１２の縦枠凹部１２ｂと係合し、正面カバー材１６１とビス２０にて接合された側面カバー材１６２中央係合片１６２ｆが新設縦枠１２の縦枠係合片１２ａと係合していると、縦額縁１６は外周方向への移動が規制されて固定ビス２１に押圧されても新設縦枠１２から離れる方向に移動しにくい。このため、縦額縁１６を外周側から押さえることなくビス止めすることが可能である。
【００５８】
また、内周側から進入する固定ビス２１が正面固定部１６１ａの螺合部１６１ｈに螺合される前に、その手前に設けられた案内部１６１ｉに係合する。係合した案内部１６１ｉは手前側から奥側に向かって漸次狭くなるように形成されているので、固定ビス２１を進入させるだけで、新設縦枠１２と正面カバー材１６１および正面カバー材１６１と係合している側面カバー材１６２とを適切な位置に配置して固定することが可能である。
【００５９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６０】
１  改装用建具、２  既設枠、２ａ  既設縦枠、２ｅ  開口、３  建物、
３ａ  外壁、３ｂ  外壁、１２  新設縦枠、１２ａ 縦枠係合片、１２ｂ  縦枠凹部、
１２ｅ  側面、１２ｆ  側面、１６  縦額縁、２０  接合ビス、２１  固定ビス、
１６１  正面カバー材、１６１ａ  正面固定部、１６１ｅ  正面延出部、
１６１ｈ  螺合部、１６１ｉ  案内部、１６１ｊ  線状薄肉部、
１６１ｍ  延出壁突出部、１６１ｎ  傾斜片、１６１ｒ  被係合部、
１６２  側面カバー材、１６２ｂ  側面係合部、１６２ｄ  中央延出部、
１６２ｅ  側面固定部、１６２ｆ  中央係合片、１６２ｊ  線状薄肉部
【図１】
0006433819.tif 000002
【図２】
0006433819.tif 000003
【図３】
0006433819.tif 000004
【図４】
0006433819.tif 000005
【図５】
0006433819.tif 000006
【図６】
0006433819.tif 000007
【図７】
0006433819.tif 000008
【図８】
0006433819.tif 000009
【図９】
0006433819.tif 000010
【図１０】
0006433819.tif 000011